(57)【特許請求の範囲】
【請求項１】
走行する車両から取得した車外の動画像や物音に対応する電気信号を出力する撮影手段と、過大な負の加速度や衝撃等の物理量変化から事故発生を推定して発生前後に出力された電気信号を記憶部に格納する制御器とを有し、各車両に搭載されるドライブレコーダーを利用し、
不審者によるひったくりや痴漢等の不法行為に遭遇中のタグ所有者と、その現場の近傍を通過する搭載車両との連携動作によって現場情報の取得が可能なセキュリティシステムであって、
手動送信スイッチにより作動して、個体識別情報を重畳させた変調波を送信アンテナから放射する構造の、各タグ所有者が携行するアクティブ無線タグと、
前記変調波を捉える受信アンテナと、捉えた変調波の増幅・検波・復調を行う受信回路、および個体識別が成されると識別前後に出力された前記電気信号を前記記憶部に強制的に記録させる強制稼働手段を有し、前記ドライブレコーダーに付加される付加装置とにより構成したことを特徴とするセキュリティシステム。
【請求項２】
前記強制稼働手段は、暗号化手段により暗号化された電気信号を前記記憶部に記録することを特徴とする請求項１に記載のセキュリティシステム。
【請求項３】
前記記憶部に暗号化されて記録された記録データは、前記搭載車両から無線中継局を介して警察機関に送られることを特徴とする請求項２に記載のセキュリティシステム。
【発明の詳細な説明】
【技術分野】
【０００１】
本発明は、アクティブ無線タグを使った、セキュリティシステムに関する。
【背景技術】
【０００２】
特許文献１には、携帯電話を携帯する火災発見者が消火器を操作すると、消火器に装備したＲＦＩＤタグから携帯電話へＩＤを送信し、その携帯電話から消防へ緊急通報する消火器が開示されている。
【特許文献１】特開２００７−１０２２９５
【発明の開示】
【発明が解決しようとする課題】
【０００３】
特許文献１において、ＲＦＩＤ受信機能付の携帯電話を火災発見者が持っていない場合や、消火器を操作しないで避難した場合や、火災現場が圏外の場合には、消防へ緊急通報されない。
【０００４】
本発明の目的は、不審者が不法行為を行っている現場の近傍を通過するドライブレコーダーを搭載した車両と、その不法行為に遭遇中のタグ所有者との連携動作によって現場情報の取得が可能なセキュリティシステムの提供にある。
【課題を解決するための手段】
【０００５】
〔請求項１の手段〕
セキュリティシステムは、車両内外に搭載されるドライブレコーダーと、現場で不審者によるひったくりや痴漢等の不法行為に遭遇中のタグ所有者との連携動作により現場情報を取得している。
【０００６】
ドライブレコーダーは、走行する車両から取得した車外の動画像や物音に対応する電気信号を出力する撮影手段と、過大な負の加速度や衝撃等の物理量変化から事故発生を推定して発生前後に出力された電気信号を記憶部に格納する制御器とを有する。
このドライブレコーダーには、変調波を捉える受信アンテナと、捉えた変調波の増幅・検波・復調を行う受信回路、および個体識別が成されると識別前後に出力された電気信号を記憶部に強制的に記録させる強制稼働手段を有する付加装置が付加されている。
【０００７】
タグ所有者が携行するアクティブ無線タグは、手動送信スイッチにより作動して、個体識別情報を重畳させた変調波を送信アンテナから放射する構造である。
【０００８】
不審者によるひったくりや痴漢等の不法行為にタグ所有者が遭遇すると、手動送信スイッチの手動操作によりアクティブ無線タグが作動して、個体識別情報を重畳させた変調波が送信アンテナから放射される。
【０００９】
ドライブレコーダーに付加された付加装置の受信アンテナが変調波を捉え、受信回路が捉えた変調波の増幅・検波・復調を行い、個体識別が成されると、付加装置の強制稼働手段が監視装置の記録手段に電気信号を強制的に記録させる。
【００１０】
不審者によるひったくりや痴漢等の不法行為にタグ所有者が遭遇すると、その現場の近傍を通過する搭載車両のドライブレコーダーが、その現場の動画像や物音に対応する電気信号をドライブレコーダーの記憶部に格納する。つまり、セキュリティシステムは、現場のタグ所有者と、その現場近傍を通過する搭載車両との連携動作によって現場情報（物音や動画像）を取得することができる。
【００１１】
〔請求項２の手段〕
請求項２のセキュリティシステムにおいて、強制稼働手段は、暗号化手段により暗号化された電気信号を記録部に記録する構造である。このため、現場の近傍を通過して、ドライブレコーダーの記憶部に格納された物音や動画像をドライブレコーダーの所有者が見てしまうことを防止でき、犯罪捜査に支障をきたさない。
【００１２】
〔請求項３の手段〕
請求項３のセキュリティシステムにおいて、記憶部に暗号化されて記録された物音や動画像に相当する記録データは、搭載車両から無線中継局を介して警察機関に送られる。
このため、警察機関では、不審者が現場で不法行為を行った場合には、送られてきた記録データから、不審者の物音や動画像を速やかに分析することができ、犯人（＝不審者）をスピード逮捕することができる。
【発明を実施するための最良の形態】
【００１３】
発明を実施するための最良の形態を実施例１に基づいて説明する。
【実施例１】
【００１４】
本発明の実施例１に係るセキュリティシステムＢ（請求項１、２、３に対応）を、図１、図２に基づいて説明する。
図１、図２に示す如く、セキュリティシステムＢは、車両３０に搭載されるドライブレコーダー３およびアダプタ４（付加装置）と、タグ所有者２との連携動作により現場情報を取得する構成である。
【００１５】
ドライブレコーダー３は、走行する車両３０から車外の物音や動画像を取得し対応する電気信号を出力するマイク３１およびカメラ３２（撮影手段）と、過大な負の加速度や衝撃等の物理量変化から事故発生を衝突判定回路３３が推定し、事故発生（推定）前後に出力された電気信号をメモリ３４（記憶部）に格納する制御器３５とを有する。
【００１６】
アダプタ４は、変調波を捉える受信アンテナ４１と、捉えた変調波の増幅・検波・復調を行う受信回路４２と、電気信号を暗号化する暗号化回路４３と、個体識別前後に出力されて暗号化回路４３で暗号化された電気信号をメモリ３４に強制的に記録させる強制稼働回路４４（強制稼働手段）と、送信アンテナ４５から電波４６を発射し無線中継局を介して警察機関へ不法行為に係る記録データを通報するための通報回路４７とを有し、ドライブレコーダー３に電気接続されている。なお、通報回路４７および送信アンテナ４５の代わりに、添付ファイル付のメールを携帯電話から警察機関へ送る構成でも良い。
【００１７】
タグ所有者２が携行するアクティブ無線タグ２１は、不法行為を現認したタグに配した手動送信スイッチ２２をタグ所有者２が押圧するとタグ本体２３に通電が成され、個体識別情報を重畳させた変調波２４を送信アンテナ２５から放射する構成である。
【００１８】
このセキュリティシステムＢは、以下の様に作動する。
ひったくり犯５１が公道で通行人５２からバッグ５３をひったくる等の不法行為をタグ所有者２が現認して手動送信スイッチ２２を押圧操作すると、アクティブ無線タグ２１が作動して、個体識別情報を重畳させた変調波２４が送信アンテナ２５から放射される。
【００１９】
現場付近を通過する車両３０（複数台）に搭載されたドライブレコーダー３に付加されたアダプタ４の受信アンテナ４１が変調波２４を捉え、受信回路４２が捉えた変調波２４の増幅・検波・復調を行い、個体識別がなされると、個体識別前後にマイク３１およびカメラ３２から出力されて暗号化回路４３で暗号化された電気信号を強制稼働回路４４がメモリ３４に記録する。
【００２０】
通報回路４７が送信アンテナ４５から電波４６を発射し無線中継局を介して警察機関へ不法行為に係る記録データを送信する。
【００２１】
このセキュリティシステムＢは、以下の利点を有する。
ひったくり犯５１が公道で通行人５２からバッグ５３をひったくる等の不法行為をタグ所有者２が現認して手動送信スイッチ２２を押圧操作するとアクティブ無線タグ２１が作動し、その現場の近傍を通過する車両３０（複数台）のドライブレコーダー３のメモリ３４に、動画像や物音に対応する電気信号が暗号化されて格納され、記録データは、車両３０から警察機関に送られる。
【００２２】
このため、警察機関では、送られてきた記録データ（複数種類）から、ひったくり犯５１の動画像や物音を速やかに分析することができ、このセキュリティシステムＢを利用することにより、ひったくり犯５１（＝不審者）をスピード逮捕することができる。
【００２３】
ひったくり犯５１の動画像や物音が暗号化されてメモリ３４に記録する構造である。このため、ドライブレコーダーの所有者がメモリ３４を取り出して、ひったくり犯５１の動画像を見たり、物音を聞いてしまうことを防止でき、犯罪捜査に支障をきたさない。
【図面の簡単な説明】
【００２４】
【図１】本発明の実施例１に係るセキュリティシステムの説明図である。
【図２】そのセキュリティシステムのブロック図である。
【符号の説明】
【００２５】
Ｂ  セキュリティシステム
２  タグ所有者
３  ドライブレコーダー
４  アダプタ（付加装置）
２１  アクティブ無線タグ
２２  手動送信スイッチ
２４  変調波
２５  送信アンテナ
３０  車両
３１  マイク（撮影手段）
３２  カメラ（撮影手段）
３４  メモリ（記憶部）
３５  制御器
４１  受信アンテナ
４２  受信回路
４３  暗号化回路
４４  強制稼働回路
４５  送信アンテナ
４６  電波
４７  通報回路
【図１】
0004634496.tif 000002
【図２】
0004634496.tif 000003